(57)【要約】【課題】本発明は、震動を抑えるコンテナ型データセンターを提供する。【解決手段】本発明に係るコンテナ型データセンターは、コンテナ及び前記コンテナに設置された複数のキャビネットを備え、各々の前記キャビネットの底壁及び頂壁は、第一減震装置及び第二減震装置をそれぞれ備え、前記第二減震装置は、減震部品と、前記減震部品と前記コンテナとの間に設置され、且つ前記減震部品と前記コンテナとを接続する接続機構と、を備え、前記接続機構を調整して、前記減震部品を前記コンテナに当接又は離脱させる。【選択図】図５
2013004097.tif 000002
【特許請求の範囲】
【請求項１】
コンテナ及び前記コンテナに設置された複数のキャビネットを備え、
各々の前記キャビネットの底壁及び頂壁は、第一減震装置及び第二減震装置をそれぞれ備え、前記第二減震装置は、減震部品と、前記減震部品と前記コンテナとの間に設置され、且つ前記減震部品と前記コンテナとを接続する接続機構と、を備え、
前記接続機構を調整して、前記減震部品を前記コンテナと当接又は離脱させることを特徴とするコンテナ型データセンター。
【請求項２】
前記減震部品の頂部には、固定部が設けられており、前記コンテナの頂部には、複数のネジ孔が設けられており、前記接続機構は、両端にネジ山が設けられた連接棒を備え、前記連接棒の一端は前記減震部品の固定部と螺合し、他端は前記ネジ孔と螺合することを特徴とする請求項１に記載のコンテナ型データセンター。
【請求項３】
前記接続機構は、係止部と、二つのボルト及び複数のナットと、を備え、前記減震部品の両端には、階段孔がそれぞれ設けられ、前記係止部の両端には貫通孔が設けられ、二つの前記ボルトは、前記減震部品の前記階段孔と、前記係止部の前記貫通孔及び前記ナットと、を貫通し、且つ前記コンテナと接続することを特徴とする請求項１または２に記載のコンテナ型データセンター。
【請求項４】
各々の前記階段孔は、下方に設置された大径孔と、上方に設置された小径孔及び前記大径孔と前記小径孔との間に設置された階段部と、を備えることを特徴とする請求項３に記載のコンテナ型データセンター。
【請求項５】
各々の前記ボルトの底面は前記大径孔に収容され、前記階段部と接触する頭部を備えることを特徴とする請求項４に記載のコンテナ型データセンター。
【請求項６】
前記減震部品及び前記係止部は、それぞれ対応する前記ナット及び前記ボルトの頭部と係合し、前記ナットを回転させて、前記減震部品及び前記係止部を前記コンテナに当接又は離脱させることを特徴とする請求項５に記載のコンテナ型データセンター。
【請求項７】
前記第一減震装置は、支承装置及び前記支承装置にスライド可能に設置された滑動装置を備え、前記滑動装置は、前記コンテナの底部に固定され、前記滑動装置は、震動を抑える減震部を備えることを特徴とする請求項１から６のいずれか一項に記載のコンテナ型データセンター。
【発明の詳細な説明】
【技術分野】
【０００１】
本発明は、コンテナ型データセンターに関するものである。
【背景技術】
【０００２】
コンテナ型データセンターは、移動させる際、或いは強い地震などが起きた際に、前記コンテナ型データセンター内の電子装置が震動するなどして損傷する恐れがあり、このような状況が発生した場合、コンテナ型データセンターは正常に作動できない。
【発明の概要】
【発明が解決しようとする課題】
【０００３】
以上の問題点に鑑みて、本発明は、防震コンテナ型データセンターを提供することを目的とする。
【課題を解決するための手段】
【０００４】
前記目的を達成するために、本発明に係るコンテナ型データセンターは、コンテナ及び前記コンテナに設置された複数のキャビネットを備え、各々の前記キャビネットの底壁及び頂壁は、第一減震装置及び第二減震装置をそれぞれ備え、前記第二減震装置は、減震部品と、前記減震部品と前記コンテナとの間に設置され、且つ前記減震部品と前記コンテナとを接続する接続機構と、を備え、前記接続機構を調整して、前記減震部品を前記コンテナに当接又は離脱させる。
【発明の効果】
【０００５】
本発明のコンテナ型データセンターは、第一減震装置及び第二減震装置の減震部品が、前記コンテナからの震動及び衝撃を抑えるため、前記取付フレーム上の電子装置の損傷を防止することができる。
【図面の簡単な説明】
【０００６】
【図１】本発明に係るコンテナ型データセンターの分解斜視図である。
【図２】図１に示した本発明に係るコンテナ型データセンターの第一減震装置の分解図である。
【図３】図１に示した本発明に係るコンテナ型データセンターの第二減震装置の分解図である。
【図４】図１に示したコンテナ型データセンターの組立図である。
【図５】図４に示したコンテナ型データセンターのＶ−Ｖ線に沿った断面図である。
【図６】本発明に係るコンテナ型データセンターの第一実施形態の使用状態を示した図である。
【図７】本発明に係るコンテナ型データセンターの第二実施形態の斜視図である。
【図８】図７に示した本発明に係るコンテナ型データセンターの第二減震装置の分解図である。
【図９】図７に示した本発明に係るコンテナ型データセンターの第二減震装置のＩＸ−ＩＸ線に沿った断面図である。
【図１０】本発明に係るコンテナ型データセンターの第二実施形態の使用状態を示す図である。
【発明を実施するための形態】
【０００７】
以下、図面に基づいて、本発明に係るコンテナ型データセンターについて詳細に説明する。
【０００８】
図１及び図２に示したように、本発明に係るコンテナ型データセンターは、コンテナ３００と、前記コンテナ３００に設置される複数のキャビネット２０と、を備え、該各々のキャビネット２０は、底壁２２及び頂壁２４をそれぞれ備える。また、前記各々のキャビネット２０の底壁２２及び頂壁２４は、第一減震装置４０及び第二減震装置６０をそれぞれ備える。
【０００９】
前記コンテナ３００の一つの側縁には、固定梁３１０が設けられ、該固定梁３１０には、複数のネジ孔３０２が設けられている（図５を参照）。
【００１０】
前記第一減震装置４０は、支承装置４２及び二つの滑動装置４４を備え、前記支承装置４２は、ブラケット４２２及び前記二つの滑動装置４４にそれぞれ対応する二つのスライドレール４２８を備える。前記ブラケット４２２は、互いに平行に設置された二つの支承片４２４を備え、該各々の支承片４２４には、複数のネジ孔４２６がそれぞれ設けられている。前記各々のスライドレール４２８は、複数の貫通孔が設けられた底板４２８２と、前記底板４２８２の両側から外に向かってそれぞれ延伸して形成された二つの支承板４２８４及び前記底板４２８２の内部に固定されたスライドバー４２８６と、を備える。また、前記各々の支承板４２８４には、複数の固定孔４２８８がそれぞれ設けられている。
【００１１】
前記滑動装置４４は、取付フレーム４４４と、減震部４４６と、二つの滑車４４７及び蓋体４４９と、を備える。前記取付フレーム４４４は、細長い形状の滑動フレーム４４４２を備え、前記滑動フレーム４４４２の中央部には、固定部４４４４が突設されている。前記固定部４４４４の頂部の長手方向両端部には、長方形の取付孔４４４６がそれぞれ設けられており、各々の前記取付孔４４４６の両側には、複数の貫通孔４４５１が設けられている。前記滑動フレーム４４４２の底部の長手方向両端部には、外に向かって延伸する固定板４４４８がそれぞれ形成されている。前記減震部４４６は、ゴム又はプラスチックなどの減震材料からなり、長方形の辺フレーム４４６４及び該辺フレーム４４６４の頂部に設置された減震片４４６２を備える。また、前記減震片４４６２は、前記辺フレーム４４６４の所定の位置に設置され、且つその両端には、前記辺フレーム４４６４と共同で開口を形成する。前記減震片４４６２には、複数の貫通孔４４６６が設けられている。各々の滑車４４７は、ホイール４４７２及び前記ホイール４４７２の両端に設置された二つの阻止片４４５０を備える。前記阻止片４４５０の外側には、前記ホイール４４７２に対して垂直に接続片４４７４がそれぞれ設置されている。また、各々の前記接続片４４７４には、複数のネジ孔４４７６が設けられている。
【００１２】
前記蓋体４４９は、矩形の頂板４４９２及び前記頂板４４９２の周辺から、下方に向かって延伸する四つの側板４４９４を備える。前記頂板４４９２及び前記四つの側板４４９４は共に、収容槽４４９６を形成する。また、前記頂板４４９２には、複数の貫通孔４４９８が設けられている。
【００１３】
図３を参照すると、前記第二減震装置６０は、減震部品６２及び接続機構６４を備える。前記減震部品６２は、ゴム又はプラスチックなどの減震材料で形成された円柱体であり、前記減震部品６２の頂部の中央には、固定部６２２が設けられている。前記固定部６２２は、ネジ孔である。前記接続機構６４は、両端にネジ山がそれぞれ設けられた連接棒６４２及び二つのナット６４４を備える。
【００１４】
図４〜図６を参照すると、前記支承装置４２を組み立てる際、複数のネジ４４５３によって、二つの前記スライドレール４２８の底板４２８２の貫通孔（図示せず）を貫通させ、且つ対応する前記ブラケット４２２の前記ネジ孔４２６にそれぞれ螺合させる。これにより、前記スライドレール４２８は前記ブラケット４２２と組み立てられる。次いで、前記ブラケット４２２を、螺設又は鋲接などの接続方法によって、前記コンテナ３００内に固定する。
【００１５】
各々の前記滑動装置４４を組み立てる際、前記滑車４４７を前記取付フレーム４４４の取付孔４４４６に設置し、次いで複数のネジ４４５３を、前記滑車４４７の前記ネジ孔４４７６及び各々の取付孔４４４６の両側の貫通孔に貫通させて、前記滑車４４７を前記取付フレーム４４４に固定させる。次いで、前記減震部４４６を、前記取付フレーム４４４の前記固定部４４４４に係合させる。この時、前記減震片４４６２は前記取付フレーム４４４の頂部と当接し、前記辺フレーム４４６４は前記取付フレーム４４４の側面と当接する。次いで、前記蓋体４４９によって、前記減震部４４６を覆う。これにより、前記減震部４４６は前記収容槽４４９６内に収容される。次いで複数のネジ４４５３を、前記取付フレーム４４４の頂部の貫通孔、前記減震部４４６の前記減震片４４６２の前記貫通孔４４６６及び前記蓋体４４９の前記頂板４４９２の前記貫通孔４４９８の順でこれらに貫通させて、前記キャビネット２０の前記底壁２２に前記滑動装置４４を固定し、前記二つの滑動装置４４を前記スライドレール４２８に対応させて、前記キャビネット２０の底部に設置する。
【００１６】
前記第二減震装置６０の前記連接棒６４２の一端は、前記ナット６４４を貫通した後、前記減震部品６２の前記固定部６２２に螺合され、他端は、前記コンテナ３００内の前記ネジ孔３０２に螺合される。
【００１７】
前記キャビネット２０は、二つの前記滑動装置４４により、前記支承装置４２の二つのスライドレール４２８に沿って移動し、前記キャビネット２０の前記頂壁２４が前記第二減震装置６０の前記減震部品６２の底部と正対するようにする。次いで、前記第二減震装置６０の前記連接棒６４２を回転して、前記第二減震装置６０の前記減震部品６２を前記キャビネット２０の前記頂壁２４に接触させる。次いで複数のネジ４４５３によって、前記取付フレーム４４４の前記固定板４４４８の前記貫通孔４４４９をそれぞれ貫通させ、且つ前記二つのスライドレール４２８の前記固定孔４２８８内に螺合させて、前記キャビネット２０を前記コンテナ３００に固定する。
【００１８】
前記キャビネット２０内の電子装置を交換又は修理したい場合、前記第二減震装置６０の前記連接棒６４２を回転させて、前記減震部品６２を前記キャビネット２０の前記頂壁２４から離す。次いで、前記取付フレーム４４４及び前記スライドレール４２８に螺設したネジ４４５３を外して、前記キャビネット２０をスライドさせれば、前記キャビネット２０内に設置された電子装置を取り外すことができ、交換又は修理が可能である。
【００１９】
以上により、前記第一減震装置４０の前記減震部４４６及び前記第二減震装置６０の前記減震部品６２は、前記コンテナ型データセンターが受ける震動及び衝撃を抑えて、前記キャビネット２０内部の電子装置の損傷を防止することができる。
【００２０】
図７〜図１０を参照すると、本発明のコンテナ型データセンターの第二実施形態は、第一実施形態とその構成はほぼ同じであるが、異なる部分は、第一実施形態の前記コンテナ３００の頂部に第二減震装置８０が設置されることである。前記第二減震装置８０は、ゴム又はプラスチックなどの減震材料で形成された減震部品８４及び接続機構８３を備える。前記接続機構８３は、細長い形状の係止部８６と、二つのボルト８２及び複数のナット８８と、を備える。
【００２１】
前記減震部品８４の両端には、階段孔８４２がそれぞれ設けられている。各々の前記階段孔８４２は、下方に設置された大径孔８４４と、上方に設置された小径孔８４６と、前記大径孔８４４と前記小径孔８４６との間に設置された階段部８４７と、を備える。
【００２２】
前記係止部８６の長さは、前記減震部品８４の長さと同じであり、また、前記係止部８６の両端には、貫通孔８６２が設けられている。
【００２３】
各々のボルト８２の一端には、直径が前記小径孔８４６の直径より大きく、前記大径孔８４４の直径より小さい頭部８２２が設けられている。
【００２４】
前記第二減震装置８０を組み立てる際、二つの前記ボルト８２は、前記減震部品８４の前記階段孔８４２、前記係止部８６の対応する貫通孔８６２及びナット８８の順でこれらを貫通し、前記コンテナ３００の頂部と接続する。以上により、前記第二減震装置８０は、前記コンテナ３００の頂部に固定される。
【００２５】
使用の際、前記第二減震装置８０の前記ナット８８を回転させて、前記減震部品８４を前記キャビネット２０に当接又は離脱させる。
【００２６】
また、前記コンテナ型データセンターは、必要に応じて、複数の前記第二減震装置８０を設置することができる。
【００２７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２８】
３００                                    コンテナ
３１０                                    固定梁
３０２、４２６、４４７６                  ネジ孔
２０                                      キャビネット
２２                                      底壁
２４                                      頂壁
４０                                      第一減震装置
４２                                      支承装置
４２２                                    ブラケット
４２４                                    支承片
４２８                                    スライドレール
４２８２                                  底板
４２８４                                  支承板
４２８６                                  スライドバー
４２８８                                  固定孔
４４                                      滑動装置
４４４                                    取付フレーム
４４４２                                  滑動フレーム
４４４４                                  固定部
４４４６                                  取付孔
４４４８                                  固定板
４４４９、４４９８、４４５１、２０２、８６２、４４６６        貫通孔
４４５３                                  ネジ
４４６                                    減震部
４４６２                                  減震片
４４６４                                  辺フレーム
４４７                                    滑車
４４７２                                  ホイール
４４７４                                  接続片
４４９                                    蓋体
４４９２                                  頂板
４４９４                                  側板
４４９６                                  収容槽
６０、８０                                第二減震装置
６２、８４                                減震部品
６４、８３                                接続機構
６４２                                    連接棒
６２２                                    固定部
８４２                                    階段孔
８４４                                    大径孔
８４６                                    小径孔
８４７                                    階段部
８６                                      係止部
８２                                      ボルト
８２２                                    頭部
８８、６４４                              ナット
【図１】
2013004097.tif 000003
【図２】
2013004097.tif 000004
【図３】
2013004097.tif 000005
【図４】
2013004097.tif 000006
【図５】
2013004097.tif 000007
【図６】
2013004097.tif 000008
【図７】
2013004097.tif 000009
【図８】
2013004097.tif 000010
【図９】
2013004097.tif 000011
【図１０】
2013004097.tif 000012